(57)【要約】【課題】太陽電池を電力供給源として備える機器において、屋内で使用できる機器は、低消費電力機器に限られてしまう。【解決手段】モータ（４）の電力源として、筐体の外面に配された、複数の色素増感太陽電池パネルである太陽電池パネル（３）を備えており、上記複数の色素増感太陽電池パネルの受光角度は互いに異なっている。【選択図】図１
2016076602.tif 000002
【特許請求の範囲】
【請求項１】
低照度環境下において使用可能な機器であって、
筐体と、電力の供給を受けて動作する動作部とを備え、
上記動作部の電力源として上記筐体の外面に配された複数の色素増感太陽電池パネルを備えており、
上記複数の色素増感太陽電池パネルの受光角度は互いに異なっていることを特徴とする機器。
【請求項２】
上記筐体は、複数の板部材から構成されており、上記板部材が色素増感太陽電池パネルであることを特徴とする請求項１に記載の機器。
【請求項３】
上記筐体に備わっている少なくとも２つの上記色素増感太陽電池パネルは、並列に接続されており、上記少なくとも２つの上記色素増感太陽電池パネルに備わっているセルの数が同じであることを特徴とする請求項１または２に記載の機器。
【請求項４】
上記色素増感太陽電池パネルは、
透明導電層と、
上記透明導電層上に成膜されている酸化チタンから成る発電層と、
上記透明導電層および上記発電層が形成される空間に充填された電解液と、
上記透明導電層と上記電解液との界面における逆電流の発生を防止する逆電流防止層とを備えていることを特徴とする請求項１から３の何れか一項に記載の機器。
【請求項５】
上記電解液は、トリアイオダイドイオンを含み、上記トリアイオダイドイオンの濃度が０Ｍ〜０．０２Ｍであることを特徴とする請求項４に記載の機器。
【発明の詳細な説明】
【技術分野】
【０００１】
本発明は太陽電池を電力供給源とし、低照度環境下において使用可能な機器に関する。
【背景技術】
【０００２】
これまでに、太陽電池を電力供給源とする機器が開発されている。例えば、特許文献１には、太陽電池を備えた空気清浄器が開示されている。
【０００３】
詳細には、モータと、該モータにより回転駆動されるファンと、空気処理剤とが少なくとも収納された容器本体を備えている。また、該容器本体には空気流入口及び空気流出口が夫々形成され、且つ容器本体の外側部に太陽電池が取付けられている。該太陽電池が前記モータと電気的に接続されていると共に、前記太陽電池とモータ間には前記モータの間欠駆動回路が接続されている。
【０００４】
また、特許文献２には、太陽電池を電力供給源とする洗濯物乾燥器が開示されている。
【０００５】
詳細には、箱体の上部に太陽光によって電力を発生する太陽電池とこれを電力源とする電動機とを備え、この電動機の回転軸にファンを取付けて洗濯物乾燥器を構成することが開示されている。
【先行技術文献】
【特許文献】
【０００６】
【特許文献１】実用新案登録第２５５６９８６号公報（１９９７年１２月８日発行）
【特許文献２】実用新案登録第３０６５７５３号公報（２０００年２月８日発行）
【発明の概要】
【発明が解決しようとする課題】
【０００７】
シリコン（Ｓｉ）系太陽電池など従来の太陽電池では、散乱光や斜めからの入射光に対して効率よく発電することができない。そのため、太陽電池の設置場所は、通常の光源方向となる機器上部に限られる。光源方向に太陽電池を正対させて設置することができるものもあるが、設置場所が限られる点では同じである。
【０００８】
また、Ｓｉ系太陽電池は、屋内のような低照度環境下では、太陽光下に比べ著しく変換効率が低下する。そのため、屋内用途の機器につけた太陽電池から得られる電力は極めて小さい。
【０００９】
特許文献１に開示されている空気清浄器においては、その目的に小型、軽量化が含まれている。そのため、太陽電池の設置面積が限られる。したがって、消費電力の小さいファンしか駆動できない。よって、空気清浄器の近傍の空気しか清浄する事ができない。
【００１０】
特許文献２に開示されている洗濯物乾燥器においては、晴れた屋外なら太陽電池からの電力でモータを駆動することができる。一方、低照度の屋内では発電量が不足するため、モータを駆動することができなくなる。すなわち、低照度の屋内では、ファンを回転させることができず、洗濯物乾燥器として機能できなくなる。
【００１１】
すなわち、上述のような従来技術は、太陽電池を電力供給源として備える機器において、屋内（低照度環境下）で使用することができる機器は、低消費電力機器（電卓やラジオなど）に限られてしまうという問題がある。
【００１２】
本発明は、上記の問題点に鑑みてなされたものであり、その目的は、太陽電池を電力供給源とする機器であって、低照度の環境下においても効率的な発電が可能な機器を提供することである。
【課題を解決するための手段】
【００１３】
上記の課題を解決するために、本発明の一態様に係る機器は、低照度環境下において使用可能な機器であって、筐体と、電力の供給を受けて動作する動作部とを備え、上記動作部の電力源として上記筐体の外面に配された複数の色素増感太陽電池パネルを備えており、上記複数の色素増感太陽電池パネルの受光角度は互いに異なっている。
【発明の効果】
【００１４】
本発明の一態様によれば、低照度の環境下においても効率的な発電が可能な機器を実現し、提供することができるという効果を奏する。
【図面の簡単な説明】
【００１５】
【図１】（ａ）は、実施形態１に係る洗濯物屋内干し機器の外観の一例を示す斜視図である。（ｂ）は、図１の（ａ）におけるＡ−Ａ線矢視断面を示す図である。
【図２】実施形態１に係る太陽電池パネルの構造の一例を示す断面図である。
【図３】（ａ）および（ｂ）は、実施形態１に係る洗濯物屋内干し機器の電力供給回路の一例を示す図である。
【図４】実施形態１に係る洗濯物屋内干し機器の効果を示す図である。
【図５】実施形態１の変形例に係る太陽電池パネルの構造の一例を示す断面図である。
【図６】（ａ）〜（ｃ）は、実施形態２に係る洗濯物屋内干し機器の電力供給回路の一例を示す図である。
【図７】実施形態３に係る除菌機器の構造を示す図である。
【図８】実施形態３に係る除菌機器の効果を示す図である。
【図９】実施形態４に係る冷却機器の構造を示す図である。
【図１０】実施形態４に係る冷却機器の効果を示す図である。
【発明を実施するための形態】
【００１６】
本発明は、以下の記載に限定されるものではない。また、説明の便宜上、各図面に示した部材と同一の機能を有する部材については、同一の符号を付し、適宜その説明を省略する。また、各図面に記載した構成の形状や、長さ、大きさおよび幅などの寸法は、実際の形状や寸法を反映させたものではなく、図面の明瞭化と簡略化のために適宜に変更している。
【００１７】
〔実施形態１〕
以下、本発明の実施の一形態について、図１〜図５に基づいて詳細に説明する。本実施形態に係る洗濯物屋内干し機器（機器）１は、屋内において洗濯物を干す（乾燥させる）ための機器である。ただし、本発明は、洗濯物屋内干し機器に限定されず、低照度環境下での駆動が想定される（低照度環境下において使用可能な）筐体を有するあらゆる機器に適用できる。例えば、本発明は、後述する除菌機器、冷却機器などにも適用できる。
【００１８】
なお、低照度環境下とは、例えば、屋外でも直接太陽光を受けるような環境（例えば、屋根の上）以外の環境下および屋内の環境下であり、照度が１００  ｌｕｘから５００００  ｌｕｘ（０．１ｍＷ/ｃｍ２〜５０ｍＷ/ｃｍ２に相当）の環境下のことを言う。
【００１９】
（洗濯物屋内干し機器１の構成）
図１は、本実施形態１に係る洗濯物屋内干し機器１の概要を示す図である。図１の（ａ）は、本実施形態１に係る洗濯物屋内干し機器１の外観の一例を示す斜視図である。
【００２０】
図１の（ｂ）は、図１の（ａ）におけるＡ−Ａ線矢視断面を示す図である。図１の（a）および（ｂ）に示すように、洗濯物屋内干し機器１は、仕切り板２、太陽電池パネル３、空気吸入口４、空気排気口５およびハンガーかけ６を備えている。
【００２１】
（仕切り板２）
仕切り板（板部材）２は、洗濯物屋内干し機器１の内部空間と外部空間とを仕切るためのものである。洗濯物屋内干し機器１は、複数の仕切り板２から構成される筐体を備えることによって、洗濯物屋内干し機器１の内部空間と外部空間とを仕切る。少なくとも２つ以上の仕切り板２は、洗濯物屋内干し機器１の外部空間側（外面）に太陽電池パネル３を備えている。すなわち、洗濯物屋内干し機器１の筐体の複数の面に太陽電池パネル３が備わっている。換言すると、複数の太陽電池パネル３の受光角度は互いに異なっている。
【００２２】
また、仕切り板２自体が、太陽電池パネル３である構成であってもよい。
【００２３】
また、洗濯物屋内干し機器１の内部空間と外部空間とが仕切られていればよく、例えば球状、円筒状のように上記筐体が複数の仕切り板によって構成される構造でなくてもよい。
【００２４】
（太陽電池パネル３）
太陽電池パネル３は、色素増感太陽電池パネルである。色素増感太陽電池パネルは低照度環境下にて、効率良く発電が可能である。例えば、太陽電池パネルに入射する光量が減少すると、太陽電池パネルの電圧は低下し、発電量が低下する。色素増感太陽電池パネルは入射する光量の減少による電圧の低下が、一般的に用いられているシリコンなどの太陽電池パネルにおける低下よりも小さい。したがって、色素増感太陽電池パネルは低照度環境下にて、シリコンなどの太陽電池パネルよりも効率良く発電が可能である。
【００２５】
（太陽電池パネル３の構造）
色素増感太陽電池パネルの構造について図２を用いて説明する。図２は、色素増感太陽電池パネルの断面図である。
【００２６】
太陽電池パネル３の構造は、複数のセルＣ１〜Ｃ３から構成されている。それぞれのセルは電気的に直列に接続している。また、それぞれのセルは、封止材３７によって空間的に分断されている。セルＣ１〜Ｃ３は、基板ガラス３１上に、第１導電層３２、酸化チタン膜３３、絶縁層３４および第２導電層３５をこの順番に積層（成膜）した構造である。また、第２導電層３５の上部には空間を挟んでカバーガラス３６が備わっている。
【００２７】
光は通常、基板ガラス３１側から入射する。基板ガラス３１は、透光性を備えていればよく、ガラス基板の他にプラスチック基板などを適用してもよい。
【００２８】
第１導電層（透明導電層）３２は、ＩＴＯ、ＳｎＯ２、ＺｎＯ等の導電材料からなる透明導電膜である。
【００２９】
酸化チタン膜（発電層）３３は、アナタース型酸化チタン、ルチル型酸化チタン、無定形酸化チタン、メタチタン酸、オルソチタン酸などの各種の狭義の酸化チタン及び水酸化チタン、含水酸化チタン等である。酸化チタン膜３３の代わりに、例えば、酸化亜鉛、酸化スズ、酸化ニオブ、酸化ジルコニウム、酸化セリウム、酸化タングステン、酸化シリコン、酸化アルミニウム、酸化ニッケル、チタン酸バリウム、チタン酸ストロンチウム、硫化カドミウム、ＣｕＡｌＯ２、ＳｒＣｕ２Ｏ２等の単独、化合物又は組み合わせからなる膜を適用してもよい。なお、安定性及び安全性の点から、酸化チタンが好ましい。
【００３０】
酸化チタン膜３３を構成する酸化チタンには増感色素が吸着されている。増感色素としては、種々の可視光領域および／または赤外光領域に吸収を持つものを用いることができる。有機色素では、例えば、アゾ系色素、キノン系色素、キノンイミン系色素、キナクリドン系色素、スクアリリウム系色素、シアニン系色素、メロシアニン系色素、トリフェニルメタン系色素、キサンテン系色素、ポルフィリン系色素、ペリレン系色素、インジゴ系色素、ナフタロシアニン系色素などが挙げられる。また、金属錯体色素では、Ｃｕ、Ｎｉ、Ｆｅ、Ｃｏ、Ｖ、Ｓｎ、Ｓｉ、Ｔｉ、Ｇｅ、Ｃｒ、Ｚｎ、Ｒｕ、Ｍｇ、Ａｌ、Ｐｂ、Ｍｎ、Ｉｎ、Ｍｏ、Ｙ、Ｚｒ、Ｎｂ、Ｓｂ、Ｌａ、Ｗ、Ｐｔ、Ｔａ、Ｉｒ、Ｐｄ、Ｏｓ、Ｇａ、Ｔｂ、Ｅｕ、Ｒｂ、Ｂｉ、Ｓｅ、Ａｓ、Ｓｃ、Ａｇ、Ｃｄ、Ｈｆ、Ｒｅ、Ａｕ、Ａｃ、Ｔｃ、Ｔｅ、Ｒｈなどの金属が挙げられ、フタロシアニン系色素、ルテニウムビピリジン系色素などが好ましく用いられる。
【００３１】
前記増感色素の中で、ルテニウムビピリジン系色素がより好ましく、特にＲｕｔｈｅｎｉｕｍ５３５色素、Ｒｕｔｈｅｎｉｕｍ５３５−ｂｉｓＴＢＡ色素、Ｒｕｔｈｅｎｉｕｍ
６２０−１Ｈ３ＴＢＡ色素であることが好ましい。
【００３２】
絶縁層３４は、素材として、酸化ジルコニウム、酸化アルミニウム、酸化マグネシウムなどを用いることができる。
【００３３】
第２導電層３５は、導電層及び触媒層から構成される。光が第１導電層３２側から入射する場合、第２導電層３５は、透光性を有する必要がなく、第２導電層３５側から入射する場合、第２導電層３５は、通常、透光性を有する必要がある。第２導電層３５は、金、白金、銀、銅、アルミニウム等の金属；チタン、タンタル、タングステン等の高融点金属；ＩＴＯ、ＳｎＯ２、ＣｕＩ、ＺｎＯ等の透明導電材料などで形成することができる。触媒層は、白金、カーボンブラック、ケッチェンブラック、カーボンナノチューブ、フラーレンなどを用いることができる。
【００３４】
カバーガラス３６は、素材として、ガラス、プラスチック、金属、などを用いることができる。
【００３５】
封止材３７は、素材として、熱硬化シール剤、ＵＶ熱硬化シール剤などを用いることができる。
【００３６】
また、太陽電池パネル３は、第１導電層３２を分断するスクラブライン３８がセルの境界近傍に設けられている。
【００３７】
セルＣ１〜Ｃ３の空間内には電解液４０が充填されている。
【００３８】
電解液４０は、トリアイオダイドイオンを含んでおり、トリアイオダイドイオンの濃度は０Ｍ〜０．０２Ｍが好ましい。これは、色素増感太陽電池パネルの開放電圧を高くするためである。詳しくは、リアイオダイドイオンの濃度を０Ｍ〜０．０２Ｍとすることで、酸化チタン膜３３の表面付近において、色素と酸化チタンとの再結合中心であるＩ３-の数が減少する。そのため、酸化チタン膜３３の内部からＩ３-への電子の移動が抑制されるためである。
【００３９】
I-/Ｉ３-の酸化還元種は変換効率が高い。そのため、電解液４０は、トリアイオダイドイオンを含んでいるものが好ましい。したがって、本実施形態においても、トリアイオダイドイオンを含む電解液４０について例示したが、トリアイオダイドイオン以外の酸化還元種を含む電解液を適用してもよい。トリアイオダイドイオン以外の酸化還元種においても、色素と酸化チタンとの再結合中心の濃度が低くなることが好ましい。
【００４０】
（空気吸入口４）
空気吸入口４は、図１の（ｂ）に示すように、洗濯物屋内干し機器１の外部空間の空気を方向Ｄ１に吸気するように設けられている。より詳細には、空気吸入口４は、例えば、洗濯物屋内干し機器１の外部の空気を吸気するためのファンが備わっている。該ファンは、太陽電池パネル３を電力供給源（電力源）とするモータ（動作部）によって駆動する。
【００４１】
（空気排気口５）
空気排気口５は、図１の（ｂ）に示すように、洗濯物屋内干し機器１の内部空間の空気を方向Ｄ２に排気するために設けられている。より詳細には、空気排気口５は、例えば、洗濯物屋内干し機器１の外部の空気を排気するためのファンが備わっている。該ファンは、太陽電池パネル３を電力供給源とするモータによって駆動する。洗濯物屋内干し機器１は、空気吸入口４および空気排気口５を設けていることによって、洗濯物屋内干し機器１の内部空間の換気を効率的に行うことができる（空気を交換することができる）。なお、当該吸気および排気用のファンを駆動するモータは、洗濯物屋内干し機器１の使用環境の照度における太陽電池パネル３の発電量で駆動するものであればよく、特に限定されない。
【００４２】
（ハンガーかけ６）
ハンガーかけ６は、ハンガーをかけるためのものである。ユーザはハンガーかけ６にハンガーをかけて、衣類などを干すことができる。
【００４３】
（洗濯物屋内干し機器１の電力供給回路）
次に本実施形態に係る洗濯物屋内干し機器１の電力供給回路について、図３を用いて説明する。図３の（ａ）および（ｂ）は、本実施形態１に係る洗濯物屋内干し機器１の電力供給回路の一例を示す図である。なお、図３に示す太陽電池パネル３ａ〜３ｃ上に示されている実線（例えば、実線Ｌ）は、各太陽電池パネル３が備えているセルの境界を示している。
【００４４】
また、図３の（ａ）および（ｂ）に示される負荷４ａ〜４ｄは、洗濯物屋内干し機器１の外部の空気を吸気するためのファンを駆動するモータ、洗濯物屋内干し機器１の内部の空気を排気するためのファンを駆動するモータ、洗濯物屋内干し機器１に搭載されている電力により動作する装置（例えば、除菌装置）などである。
【００４５】
図３の（ａ）に示すように、太陽電池パネル３ａ〜３ｃごとに電力を供給する負荷４ａ〜４ｃが設けられている。すなわち、個別の太陽電池パネルが、個別の負荷に対して電力を供給する。
【００４６】
次に、他の電力供給回路の例を説明する。図３の（ｂ）に示すように、負荷４ｄは、直列に接続している太陽電池パネル３ｄ〜３ｅと接続している。すなわち、複数の太陽電池パネルが、１つの負荷に対して電力を供給する。本発明においては、太陽電池パネルが色素増感太陽電池パネルである。そのため、低照度環境下でも、太陽電池パネルの動作電圧の低下が少ない。したがって、直列に接続する太陽電池パネルの数によって電圧値を制御することができる。そのため、電圧値を調整する装置を介することなく負荷と太陽電池パネルとを直接接続することができる。
【００４７】
なお、電力供給回路は、必要に応じて最適動作電流値・電圧値の追跡装置、昇圧回路、降圧回路、インバータなどを備えてもよい。また、洗濯物屋内干し機器１の未使用時における太陽電池パネル３の発電を無駄にしないために、洗濯物屋内干し機器を、蓄電池を備える構成としてもよい。また、太陽電池パネル３の発電量が不十分な場合に備えて、洗濯物屋内干し機器１を商用電源に接続できる構成としてもよい。また、太陽電池パネルの数が３枚である場合について例示したが、太陽電池パネルの数は特に限定されない。洗濯物屋内干し機器１の筐体の形状に合わせて、太陽電池パネルの数を、適宜、変更することができる。
【００４８】
（洗濯物屋内干し機器１の効果）
次に本実施形態に係る洗濯物屋内干し機器１の効果について、図４を用いて説明する。
【００４９】
一般に、天候、花粉、大気中のＰＭ２．５の濃度、防犯（下着の盗難の防止、居住者の情報漏えいの防止）を理由として、洗濯物の屋内干しのニーズが存在する。
【００５０】
洗濯物を屋内干しする場合、洗濯物の雑菌の繁殖、におい等が問題となる。これらの問題に対処するために、洗濯物の屋内干し行う場合は部屋干し用洗濯用洗剤を使用する。また、屋内干しを行なわずに乾燥機を用いて洗濯物を乾燥させる。
【００５１】
図４は、通常の洗濯洗剤（洗濯洗剤）を用いて洗濯して屋内干しにて乾燥させた場合、部屋干し用洗濯洗剤を用いて洗濯して屋内干しにて乾燥させた場合、乾燥機を用いて洗濯物を乾燥させた場合、実施形態１に係る洗濯物屋内干し機器１を用いて洗濯物を乾燥させた場合の、各項目についての効果を示した図である。図４に示すマル印は効果がある事を意味し、バツ印は効果がない事を意味する。
【００５２】
（雑菌／におい）
洗濯物の雑菌の繁殖およびにおいは、乾燥時の水の蒸発（乾燥）にかかる時間に起因する。通常の洗濯洗剤（洗濯洗剤）を用いて洗濯して屋内干しにて乾燥させた場合、雑菌の繁殖およびにおいを抑制することはできない。一方、本実施形態に係る洗濯物屋内干し機器１の内部空間は、通気性に優れた空間である。そのため、洗濯物の水分を短時間で蒸発させることができる。よって、雑菌の繁殖およびにおいを抑制することができる。
【００５３】
（電気代／省電力）
乾燥機を用いた場合においては、電気代がかかるという問題が生じる。一方、本実施形態に係る洗濯物屋内干し機器１は、必要とする電力が太陽電池パネル３から供給される。よって、洗濯物屋内干し機器１の外部からの電気の供給を必要とせずに洗濯物を乾燥させることができる。したがって、電気代がかからず、省電力に寄与することができる。
【００５４】
（洗濯物のしわ）
乾燥機を用いた場合、乾燥後の洗濯物はしわになるという問題が生じる。一方、本実施形態に係る洗濯物屋内干し機器１は、例えば、洗濯物をハンガーにかけて乾燥させることができる。そのため、乾燥後の洗濯物がしわにならない。
【００５５】
（部屋の景観）
通常の洗濯洗剤（洗濯洗剤）を用いて洗濯して屋内干しにて乾燥させた場合、部屋干し用洗濯洗剤を用いて洗濯して屋内干しにて乾燥させた場合、屋内（部屋）にロープなどを貼った部屋干しが必要になり、部屋内の景観上好ましくない。一方、本実施形態に係る洗濯物屋内干し機器１は、洗濯物屋内干し機器１の内部空間にて洗濯物を乾燥させる。そのため、部屋内の景観に影響を及ぼすことはない。
【００５６】
（収納性）
洗濯物屋内干し機器１によって、乾燥した洗濯物は、乾燥後も洗濯物屋内干し機器１の内部空間に放置できるため、洗濯物の収納庫として利用することができる。
【００５７】
（変形例）
次に本実施形態に係る洗濯物屋内干し機器１の変形例について、図５を参照して説明する。図５は、本変形例に係る洗濯物屋内干し機器１の太陽電池パネル３Ａの断面図である。実施形態１において上述した太陽電池パネル３は、逆電流防止層を備えていない構成であった。一方、本変形例に係る太陽電池パネル３Ａは逆電流防止層３９を備えている構成である。
【００５８】
図５に示すように、逆電流防止層３９は、太陽電池パネル３Ａの積層構造において、第１導電層３２と酸化チタン膜３３との間に積層されている。逆電流防止層３９は、緻密な酸化チタン膜から成る層である。
【００５９】
上記の構成よれば、第１導電層３２と電解液４０との界面で発生する逆電流（第１導電層３２から電解液４０への電子の流出）を抑制することができる。
【００６０】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００６１】
図６の（ａ）〜（ｃ）は、本実施形態２に係る電力供給回路を示す図である。なお、図６に示す太陽電池パネル３ｇ〜３ｐ上に示されている実線は、各太陽電池パネルが備えているセルの境界を示している。また、負荷４ｅ〜４ｈについては、実施形態１で説明した負荷４ａ〜４ｄと同様であるためここでの説明は省略する。
【００６２】
実施形態１において上述した太陽電池パネル３および３ａ〜ｆは、個別の太陽電池パネルが、個別の負荷に対して電力を供給する。あるいは、複数の太陽電池パネルが直列に接続されており、１つの負荷に対して電力を供給する。一方、本実施形態に係る電力供給回路は、複数（少なくとも２つ）の太陽電池パネルが並列に接続されており、１つの負荷に対して電力を供給する。複数の太陽電池パネルを並列に接続することにより、負荷に供給する電流値を高めることができる。また、並列に接続されている太陽電池パネルに備わっているセルの数を同じとしてもよい。セルの数を同じにすることによって、各太陽電池パネルが出力する電圧値を一定にすることができる。これは、各太陽電池パネル内において、セル同士が直列に接続しているためである。
【００６３】
（電力供給回路）
本実施形態２に係る電力供給回路の一例を、図６の（ａ）を用いて説明する。
【００６４】
図６の（ａ）に示すように、本実施形態に係る電力供給回路では、太陽電池パネル３ｇ、３ｈおよび３ｉが並列に接続しており、負荷４ｅに電力を供給する。太陽電池パネル３ｇ、３ｈおよび３ｉが備えているセル数は同じである。
【００６５】
本実施形態２に係る他の電力供給回路の一例を、図６の（ｂ）を用いて説明する。
【００６６】
図６の（ｂ）に示すように、本実施形態に係る電力供給回路では、太陽電池パネル３ｊおよび３ｌが並列に接続しており、負荷４ｇに電力を供給する。太陽電池パネル３ｊおよび３ｌが備えているセル数は同じである。一方、太陽電池パネル３ｋは、負荷４ｇとは別の負荷４ｆに電力を供給する。太陽電池パネル３ｋのセル数は、太陽電池パネル３ｊおよび３ｌのセル数とは異なっている。
【００６７】
本実施形態２に係る他の電力供給回路の一例を、図６の（ｃ）を用いて説明する。
【００６８】
図６の（ｃ）に示すように、本実施形態に係る電力供給回路では、太陽電池パネル３ｐおよび３ｍは並列に接続されている。また、太陽電池パネル３ｐおよび３ｍの組合せと太陽電池パネル３ｎとが並列に接続されており、負荷４ｈに電力を供給する。太陽電池パネル３ｐ、３ｍおよび３ｎが備えているセル数は同じである。
【００６９】
また、本発明に係る電力供給回路は必要な電流値および電圧値に応じて、適宜、直列接続した太陽電池の複数組を並列接続する構成としてもよい。
【００７０】
〔実施形態３〕
本発明の他の実施形態について、図７および８に基づいて説明すれば、以下のとおりである。なお、説明の便宜上、前記実施形態にて説明した部材と同じ機能を有する部材については、同じ符号を付記し、その説明を省略する。
【００７１】
上記実施形態１および２に係る機器が洗濯物屋内干し機器１であるのに対し、本実施形態３に係る機器は、除菌機器（機器）１ｂである。除菌機器１ｂは、除菌機器１ｂの内部空間において、除菌を行なう。例えば、雑菌が繁殖してしまい異臭を放つもの（例えば、雑巾、バスタオルなど）を除菌機器１ｂの内部空間に入れ、除菌を行う。
【００７２】
（除菌機器１ｂの構成）
図７は、除菌機器１ｂの断面を示す図である。図７に示すように、除菌機器１ｂは、仕切り板２、ハンガーかけ６およびイオン発生装置（除菌装置）８を備えている。また、図７には示していないが、仕切り板２は太陽電池パネル３を備えている。
【００７３】
イオン発生装置８は、例えば、プラズマクラスターイオン発生装置である。イオン発生装置８は、太陽電池パネル３から電力を供給される。
【００７４】
（除菌機器１ｂの効果）
次に除菌機器１ｂの効果について、図８を用いて説明する。
【００７５】
図８は、雑菌が繁殖してしまい異臭を放つものに対して、釣り干しした場合、プラズマクラスターイオンを発生させて釣り干しした場合、実施形態３に係る除菌機器１ｂを用いた場合の、各項目についての効果を示した図である。
【００７６】
（雑菌／におい）
釣り干しした場合、雑菌の繁殖およびにおいを抑制することはできない。一方、本実施形態に係る除菌機器１ｂを用いた場合、雑菌の除菌およびにおいの抑制が可能となる。
【００７７】
（電気代／省電力）
プラズマクラスターイオンを発生させて釣り干しした場合、電気代がかかる。一方、本実施形態に係る除菌機器１ｂは、必要とする電力が太陽電池パネル３から供給される。よって、除菌機器１ｂの外部からの電気の供給を必要とせずに除菌をすることができる。したがって、電気代がかからず、また、省電力に寄与することができる。
【００７８】
（部屋の景観）
釣り干しした場合、および、プラズマクラスターイオンを発生させて釣り干しした場合、屋内（部屋）にロープなどを貼った釣り干しが必要になり、部屋内の景観上好ましくない。一方、本実施形態に係る除菌機器１ｂは、除菌機器１ｂの内部空間にて除菌を行なう。そのため、部屋内の景観に影響を及ぼすことはない。
【００７９】
（収納性）
除菌機器１ｂによって、除菌したもの（例えば、雑巾やバスタオルなど）は、除菌後も除菌機器１ｂの内部空間に放置できる。そのため、除菌したものの収納庫として除菌機器１ｂを利用することができる。
【００８０】
〔実施形態４〕
本発明の他の実施形態について、図９および１０に基づいて説明すれば、以下のとおりである。なお、説明の便宜上、前記実施形態にて説明した部材と同じ機能を有する部材については、同じ符号を付記し、その説明を省略する。
【００８１】
本実施形態４に係る機器は、冷却機器（機器）１ｃである。冷却機器１ｃは、冷却機器１ｃの内部空間を冷却する。
【００８２】
例えば、冷却機器１ｃは、生ごみの搬出日までの保管において使用することができる。また、冷却機器１ｃを携帯可能な冷蔵庫（冷凍庫）として使用することもできる。
【００８３】
（冷却機器１ｃの構成）
図９は、冷却機器１ｃの断面を示す図である。図９に示すように、冷却機器１ｃは、仕切り板２および冷却装置９を備えている。また、図９には示していないが、仕切り板２は太陽電池パネル３を備えている。
【００８４】
冷却装置９は、例えば、冷却効果のある電子部品であるペルチェ素子である。冷却装置９は、太陽電池パネル３から電力を供給される。
【００８５】
（冷却機器１ｃの効果）
次に冷却機器１ｃの効果について、図１０を用いて説明する。
【００８６】
生ごみの匂い、生ごみを原因とする害虫（ゴキブリ、アリなど）の対策の１つとして、例えば、生ごみをごみの搬出日まで冷蔵庫や冷凍室に保管することが挙げられる。
【００８７】
図１０は、生ごみの保管において、ペール箱（通常のごみ箱）に保管した場合、冷蔵庫（冷凍室）に保管した場合、実施形態４に係る冷却機器１ｃを用いた場合の、各項目についての効果を示した図である。図１０に示す三角印は、懸念事項がある場合を示す。
【００８８】
（雑菌／におい）
ペール箱（通常のごみ箱）に保管した場合、雑菌の繁殖およびにおいを抑制することはできない。
【００８９】
また、冷蔵庫（冷凍室）に保管した場合、ペール箱ほどではないが人が気になるにおいを発する。
【００９０】
一方、本実施形態に係る除菌機器１ｂを用いた場合、雑菌の除菌およびにおいの抑制が可能となる。
【００９１】
（電気代／省電力）
冷蔵庫（冷凍室）に保管した場合、電気代がかかる。一方、本実施形態に係る冷却機器１ｃは、必要とする電力が太陽電池パネル３から供給される。よって、冷却機器１ｃの外部からの電気の供給を必要とせずに冷却することができる。したがって、電気代がかからず、また、省電力に寄与することができる。
【００９２】
（部屋の景観）
ペール箱（通常のごみ箱）に生ごみを保管した場合、週２回程度のゴミ回収の間に溜まる生ごみの量は相当量あり、それらを収納するためのペール箱の大きさは相応の大きさが必要になる。そのため、部屋の景観上好ましくない。一方、冷却機器１ｃは、冷却機器１ｃの内部空間にて生ごみ冷却し、保管する。そのため、部屋内の景観に影響を及ぼすことはない。
【００９３】
また、生ごみの保管において、冷蔵庫（冷凍室）に保管した場合、ユーザは、生ごみと食料とを一緒に保管することからストレスを受け得る。また、生ごみが冷蔵庫および冷凍庫内を占有するという問題も生じる。一方、冷却機器１ｃを用いた保管の場合、これらの問題を解決できる。また、冷却機器１ｃの内部空間にて生ごみを保管するため、害虫（ゴキブリ、アリなど）への対策となる。
【００９４】
〔まとめ〕
本発明の態様１に係る機器（洗濯物屋内干し機器１、除菌機器１ｂ、冷却機器１ｃ）は、低照度環境下において使用可能な機器であって、筐体と、電力の供給を受けて動作する動作部（モータ、負荷４ａ〜４ｈ、イオン発生装置８、冷却装置９）とを備え、上記動作部の電力源として上記筐体の外面に配された複数の色素増感太陽電池パネル（太陽電池パネル３、３Ａ、３ａ〜３ｐ）を備えており、上記複数の色素増感太陽電池パネルの受光角度は互いに異なっている。
【００９５】
上記の構成によれば、上記機器は、色素増感太陽電池パネルを備えている。色素増感太陽電池の変換効率は光源方向に依存しない。そのため、散乱光や斜め入射光、屋内のような低照度環境下でも発電効率を維持することができる。
【００９６】
また、色素増感太陽電池パネルは入射する光量の減少による電圧の低下が、一般的に用いられているシリコンなどの太陽電池パネルにおける低下よりも小さい。そのため、低照度環境下でも発電効率を維持することができる。
【００９７】
また、上記複数の色素増感太陽電池パネルの受光角度は互いに異なっている。このため、例えば、色素増感太陽電池パネルを筐体の異なる面に設置することができる。よって、色素増感太陽電池パネルの設置面積を拡大し、色素増感太陽電池パネルから高い電力を得ることができる。
【００９８】
したがって、低照度の環境下においても効率的な発電が可能な機器を実現し、提供することができる。
【００９９】
本発明の態様２に係る機器は、上記態様１において、上記筐体は、複数の板部材（仕切り板２）から構成されており、上記板部材が色素増感太陽電池パネルであってもよい。
【０１００】
本発明の態様３に係る機器は、上記態様１または２において、上記筐体に備わっている少なくとも２つの上記色素増感太陽電池パネル（太陽電池パネル３ｇ〜３ｉ、３ｊ、３ｌ、３ｍ、３ｎ、３ｐ）は、並列に接続されており、上記少なくとも２つの上記色素増感太陽電池パネルに備わっているセルの数が同じであってもよい。
【０１０１】
上記の構成によれば、少なくとも２つの色素増感太陽電池パネルは並列に接続されている。そのため、色素増感太陽電池パネルから供給する電流値を高めることができる。また、並列に接続されている色素増感太陽電池パネルのセル数が同じであるため、各色素増感太陽電池パネルの電圧値を一定にすることができる。
【０１０２】
本発明の態様４に係る機器（洗濯物屋内干し機器１）は、上記態様１から３において、上記動作部が、上記筐体内の空気を交換するためのファンを駆動するモータであってもよい。
【０１０３】
上記の構成によれば、上記機器はファンを備えている構成となる。したがって、上記筐体内の空間の換気を行なうことが可能となる。よって、上記機器を洗濯物屋内干し機器として使用することができる。
【０１０４】
本発明の態様５に係る機器（除菌機器１ｂ）は、上記態様１から３において、上記動作部が、上記筐体内の空間を除菌するための除菌装置（イオン発生装置８）であってもよい。
【０１０５】
上記の構成によれば、上記機器は除菌装置を備えている構成となる。したがって、上記筐体内の空間の除菌を行なうことが可能となる。よって、上記機器を除菌機器として使用することができる。
【０１０６】
本発明の態様６に係る機器（冷却機器１ｃ）は、上記態様１から３において、上記動作部が、上記筐体内の空間を冷却するための冷却装置（９）であってもよい。
【０１０７】
上記の構成によれば、上記機器は冷却装置を備えている構成となる。したがって、上記筐体内の空間の冷却を行なうことが可能となる。よって、上記機器を冷却機器として使用することができる。
【０１０８】
本発明の態様７に係る機器（洗濯物屋内干し機器１、除菌機器１ｂ、冷却機器１ｃ）は、上記態様１から６において、上記色素増感太陽電池パネル（太陽電池パネル３Ａ）は、透明導電層（第１導電層３２）と、上記透明導電層上に成膜されている酸化チタンから成る発電層（酸化チタン膜３３）と、上記透明導電層および上記発電層が形成される空間に充填された電解液（４０）と、上記透明導電層と上記電解液との界面における逆電流の発生を防止する逆電流防止層（３９）とを備えていてもよい。
【０１０９】
上記の構成によれば、透明導電層上に逆電流防止層（例えば、緻密な酸化チタン膜の層）が積層されている。したがって、透明導電層と電解液との界面で発生する逆電流（透明導電層から電解液への電子の流出）を抑制することができる。
【０１１０】
本発明の態様８に係る機器（洗濯物屋内干し機器１、除菌機器１ｂ、冷却機器１ｃ）は、上記態様７において、上記電解液は、トリアイオダイドイオンを含み、上記トリアイオダイドイオンの濃度が０Ｍ〜０．０２Ｍであってもよい。
【０１１１】
上記の構成によれば、トリアイオダイドイオン濃度が０Ｍ〜０．０２Ｍである。例えば、透明導電層（第１導電層）上に発電層として酸化チタンを成膜している色素増感太陽電池では、酸化チタン表面付近において、色素と酸化チタンとの再結合中心であるＩ３-の数が減少する。そのため、酸化チタン内部からＩ３-への電子の移動が抑制される。したがって、色素増感太陽電池パネルの開放電圧を高くすることができる。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１３】
本発明は、低照度環境下で使用する電力の供給が必要な機器に利用することができる。
【符号の説明】
【０１１４】
１  洗濯物屋内干し機器（機器）
１ｂ  除菌機器（機器）
１ｃ  冷却機器（機器）
２  仕切り板（板部材）
３、３Ａ、３ａ〜３ｐ  太陽電池パネル（色素増感太陽電池パネル）
４ａ〜４ｈ  負荷（動作部）
８  イオン発生装置（動作部）
９  冷却装置（動作部）
３２  第１導電層（透明導電層）
３３  酸化チタン膜（発電層）
３９  逆電流防止層
４０  電解液
【図１】
2016076602.tif 000003
【図２】
2016076602.tif 000004
【図３】
2016076602.tif 000005
【図４】
2016076602.tif 000006
【図５】
2016076602.tif 000007
【図６】
2016076602.tif 000008
【図７】
2016076602.tif 000009
【図８】
2016076602.tif 000010
【図９】
2016076602.tif 000011
【図１０】
2016076602.tif 000012